(57)【要約】【課題】コストダウンと省スペース化及び発光性の向上を図ることができるストロボ装置を提供すること。【解決手段】長手方向両端に電極端子を介して発光回路の電源に接続されたキセノン管（放電管）２と、該キセノン管２からの光を照射対象に向けて反射させるリフレクタ３と、該リフレクタ３の外面に接触してリフレクタ３を介して前記キセノン管２にトリガー電圧を印加する出力端子８と前記電源に接続された入力端子７を備えたトリガーコイル４と、前記キセノン管２、前記リフレクタ３及び前記トリガーコイル４が組み付けられるケース５と、を備えたストロボ装置１において、前記トリガーコイル４の出力端子８を前記リフレクタ３に直接接触させるとともに、前記リフレクタ３から前記出力端子８への押付応力を前記ケース５で受けるよう構成する。【選択図】図４
2013171255.tif 000002
【特許請求の範囲】
【請求項１】
長手方向両端に電極端子を介して発光回路の電源に接続された放電管と、
該放電管からの光を照射対象に向けて反射させるリフレクタと、
該リフレクタの外面に接触してリフレクタを介して前記放電管にトリガー電圧を印加する出力端子と前記電源に接続された入力端子を備えたトリガーコイルと、
前記放電管、前記リフレクタ及び前記トリガーコイルが組み付けられるケースと、
を備えたストロボ装置において、
前記トリガーコイルの出力端子を前記リフレクタに直接接触させるとともに、前記リフレクタから前記出力端子への押付応力を前記ケースで受けるよう構成したことを特徴とするストロボ装置。
【発明の詳細な説明】
【技術分野】
【０００１】
本発明は、撮影のための補助光としてのストロボ光を照射対象に向けて照射するためのストロボ装置に関するものである。
【背景技術】
【０００２】
例えば、デジタルカメラ等に内蔵されるストロボ装置は、夜間や雨天時等のように周囲が暗い環境下において所定の撮影有効範囲内での撮影を可能とするために補助光としてのストロボ光を照射対象である被写体に向けて照射するものである。斯かるストロボ装置は、長手方向両端に電極端子を介して発光回路の電源に接続された放電管と、該放電管からの光を照射対象に向けて反射させるリフレクタと、該リフレクタの外面に接触してリフレクタを介して前記放電管にトリガー電圧を印加する出力端子と前記電源に接続された入力端子を備えたトリガーコイルを備えている。
【０００３】
ところで、ストロボ装置の放電管には、一般には小型で高照度のキセノン管（Ｘｅ管）が使用され、このキセノン管の外周面にはネサコーティングと称される導電性の透明電極がコーティングによって形成されており、この透明電極がリフレクタの反射面に圧接されている。又、リフレクタは、アルミニウム等の導電性金属で構成されており、トリガーコイルから高電圧のトリガー電圧がリフレクタとキセノン管の透明電極との接触部を介してキセノン管に印加されると、該キセノン管内に封入されたキセノン（Ｘｅ）ガスが全体的に励起されて発光電流が流れ易い状態となり、キセノン管に発光電流が流れることによって該キセノン管が放電してストロボ発光する。
【０００４】
而して、キセノン管、リフレクタ、トリガーコイル等は、ストロボ装置の外形を構成するケースに組み込まれるが、特許文献１には、ケース（ホルダ）を、リフレクタとトリガーコイル及びレンズ（プロテクタ）をインサートして樹脂で成形する提案がなされている。
【０００５】
ところで、ストロボ装置においては、トリガーコイルからのトリガー電圧をリフレクタに印加する方法として、リード線を介してリフレクタに導通させる方法や、トリガーコイルと端子又はリード線をプリント基板に実装し、双方をプリント基板のパターンによって導通させることによって、当該端子又はリード線の一端からリフレクタに導通させる方法がある。
【先行技術文献】
【特許文献】
【０００６】
【特許文献１】特開２００７−１５６２８２号公報
【発明の概要】
【発明が解決しようとする課題】
【０００７】
しかしながら、トリガーコイルからのトリガー電圧をリフレクタに印加する方法として、リード線を介してリフレクタに導通させる方法を採用する場合、リード線が短か過ぎるとハンダ付け時やケースへの組み込み時の作業性が悪くなり、逆にリード線が長いと、ケースへの組み込み時にリード線に負荷を掛けないような引き回しを考慮する必要があり、設計構造が限定されるという問題があった。
【０００８】
又、リード線や端子を用いてリフレクタを導通させる方法では、ストロボ装置が大型化する他、トリガーコイルの出力端子とリフレクタとの距離が長くなるためにトリガー出力波形の減衰が大きくなり、発光性が低下するという問題があった。
【０００９】
本発明は上記問題に鑑みてなされたもので、その目的とする処は、コストダウンと省スペース化及び発光性の向上を図ることができるストロボ装置を提供することにある。
【課題を解決するための手段】
【００１０】
上記目的を達成するため、本発明は、
長手方向両端が電極端子を介して発光回路の電源に接続された放電管と、
該放電管からの光を照射対象に向けて反射させるリフレクタと、
該リフレクタの外面に接触してリフレクタを介して前記放電管にトリガー電圧を印加する出力端子と前記電源に接続された入力端子を備えたトリガーコイルと、
前記放電管、前記リフレクタ及び前記トリガーコイルが組み付けられるケースと、
を備えたストロボ装置において、
前記トリガーコイルの出力端子を前記リフレクタに直接接触させるとともに、前記リフレクタから前記出力端子への押付応力を前記ケースで受けるよう構成したことを特徴とする。
【発明の効果】
【００１１】
本発明によれば、トリガーコイルの出力端子をリフレクタに直接接触させるようにしたため、トリガーコイルの出力をリフレクタに導通させるための媒介として機能するリード線や端子或いはプリント基板を用いる必要がなく、部品点数を削減してコストダウンと省スペースを実現し、ストロボ装置を小型化することができる。
【００１２】
又、トリガーコイルの出力端子とリフレクタとが直接接触するために両者の距離が近接し、トリガー出力波形の減衰を小さく抑えて発光性を高めることができる。
【００１３】
更に、リフレクタからトリガーコイルの出力端子への押付応力をケースで受けるようにしたため、トリガーコイルの出力端子をリフレクタに確実に接触させることができる。
【図面の簡単な説明】
【００１４】
【図１】本発明に係るストロボ装置要部の分解斜視図である。
【図２】本発明に係るストロボ装置のケースの斜視図である。
【図３】本発明に係るストロボ装置のトリガーコイル部分の一部を破断して示す斜視図である。
【図４】本発明に係るストロボ装置のトリガーコイル部分の横断面図である。
【図５】トリガーコイルの端子をフープから切り離す前の状態を示す平面図である。
【図６】トリガーコイルの端子をフープから切り離した後の状態を示す平面図である。
【図７】本発明に係るストロボ装置の電気回路図である。
【発明を実施するための形態】
【００１５】
以下に本発明の実施の形態を添付図面に基づいて説明する。
【００１６】
図１は本発明に係るストロボ装置要部の分解斜視図、図２は同ストロボ装置のケースの斜視図、図３は同ストロボ装置のトリガーコイル部分の一部を破断して示す斜視図、図４は同ストロボ装置のトリガーコイル部分の横断面図、図５はトリガーコイルの端子をフープから切り離す前の状態を示す平面図、図６は同トリガーコイルの端子をフープから切り離した後の状態を示す平面図である。
【００１７】
本実施の形態に係るストロボ装置１は、デジタルカメラ等に内蔵されて夜間や雨天時等のように周囲が暗い環境下においても所定の撮影有効範囲での撮影を可能とするためにストロボ光を照射対象である不図示の被写体に照射するものであって、図１に示すように、横方向に長い放電管であるキセノン管２と、該キセノン管２からのストロボ光を被写体に向けて反射させるリフレクタ３と、該リフレクタ３の外面に接触してリフレクタ３を介してキセノン管２にトリガー電圧を印加するトリガーコイル４と、リフレクタ３の光出射面を覆う透明な不図示のレンズを備えており、キセノン管２やリフレクタ３、トリガーコイル４等はケース５に組み付けられている。
【００１８】
上記キセノン管２は、放電部であるガラス管２ａの内部にキセノンガスを封入して構成されており、ガラス管２ａの左右両端部には電極端子６がそれぞれ設けられている。そして、図示しないが、ガラス管２ａの外周面の所定の軸方向長さ範囲には、ネサコーティングと称される導電性の透明電極がコーティングによって形成されている。
【００１９】
前記リフレクタ３は、当該ストロボ装置１のストロボ光の出射方向（図１の上方）に向かって開くよう導電性金属によって横断面Ｕ字状に成形されており、その内部に前記キセノン管２が組み込まれる。そして、このリフレクタ３はアルミニウム等の金属で構成され、その内面が研磨された反射面を構成しており、この反射面には不図示のアルミ蒸着層が形成されており、リフレクタ３の内部にキセノン管２が組み込まれた状態では、キセノン管２のガラス管２ａの外周に形成された前記透明電極がリフレクタ２の内面のアルミ蒸着層に圧接される。
【００２０】
而して、内部にキセノン管２が組み込まれたリフレクタ３は、樹脂製の前記ケース５に組み込まれるが、このケース５の内部には、図２に示すようにリフレクタ３を受けるためのＵ溝状の凹部５ａが長手方向に沿って形成されている。そして、このケース５の底部の一部には矩形孔５ｂが形成されており、この矩形孔５ｂの周縁の一部には平坦な座面５ｃが形成されている。
【００２１】
前記トリガーコイル４は、図６に示すように導電性金属から成る入力端子７と出力端子８を備えているが、製品完成前の製造工程においては、図５に示すように入力端子７と出力端子６はフープ９で繋がっている。そして、製造工程の最終段階において、フープ９で繋がっている入力端子７と出力端子８はそれぞれ所定の長さが確保される箇所で切り離され、図６に示すような中間品としてのトリガーコイル４が得られる。
【００２２】
次に、図６に示す中間品としてのトリガーコイル４の入力端子７と出力端子８は、それぞれ図１に示すような形状に加工される。具体的には、入力端子７は図１の下方に向けて略直角に折り曲げられ、出力端子８は逆に上方に向かって略直角に折り曲げられ、その左右の片８ａが図１の上方に向かって開くよう逆台形状に加工されている。
【００２３】
而して、トリガーコイル４はケース５に図１の下方から組み込まれ、その出力端子８は、図３に示すようにケース３の底部に形成された前記矩形孔５ｂからケース５内に挿入され、ケース５に組み込まれたリフレクタ３の外周に直接接触する。或いは、ケース５に予め組み付けられたトリガーコイル４の出力端子８にリフレクタ３が組み込まれることによって、トリガーコイル４の出力端子８の上方に向かって開く左右の片８ａがリフレクタ３によって押し広げられながらリフレクタ３の外周に直接接触する。そして、このようにトリガーコイル４の出力端子８がリフレクタ３の外周に直接接触した状態では、該出力端子８の底辺部８ｂは図３及び図４に示すようにケース５に形成された台座５ｃに当接し、リフレクタ３からトリガーコイル４の出力端子８への押付応力はケース５の台座５ｃによって受けられるよう構成されている。
【００２４】
次に、本実施の形態に係るストロボ装置１の電気回路の構成と発光原理を図７に示す伝記回路図に基づいて以下に説明する。
【００２５】
ストロボ装置１は、メインコンデンサ１０の放電ループにキセノン管２とＩＧＢＴ（Insulated Gate Bipolar Transistor ）１１を設けて構成される発光回路１２と、キセノン管２を励起するためのトリガー用コンデンサ１３とトリガーコイル４を含むトリガー手段１４と、不図示のＣＰＵから発信される発光信号に基づいて前記ＩＧＢＴ１１へのゲート電圧の印加を制御して該ＩＧＢＴ１１をＯＮ／ＯＦＦするＩＧＢＴドライバ１５を備えている。
【００２６】
而して、カメラ本体に内蔵された不図示のＣＰＵは、外光の明るさやピントが設定されている距離等をパラメータとしてキセノン管２の発光時間を設定し、ＩＧＢＴドライバ１５に対して発光ＯＮ信号を設定時間だけ出力する。すると、ＩＧＢＴドライバ１５は、ゲート電圧をＩＧＢＴ１１のゲート１１ａに印加するため、ＩＧＢＴ１１がＯＮされてトリガー手段１４のトリガー用コンデンサ１３に充電されていたトリガー電圧が入力端子７からトリガーコイル４に入力されると、このトリガー電圧はトリガーコイル４によって昇圧されて出力端子８からリフレクタ３に印加される。そして、リフレクタ３に印加されたトリガー電圧がリフレクタ３とキセノン管２の透明電極との接触部を介してキセノン管２に印加され、該キセノン管２内に封入されたキセノンガスが全体的に励起されて発光電流（コレクタ電流）が流れ易い状態となる。これと同時に発光回路１２が導通状態となってメインコンデンサ１０からキセノン管２に発光電流（コレクタ電流）が流れて該キセノン管２が放電して発光する。
【００２７】
上述のようにキセノン管２が発光してから所定の設定時間が経過すると、ＣＰＵからＩＧＢＴドライバ１５に発光ＯＦＦ信号が出力される。すると、ＩＧＢＴドライバ１５からＧＢＴ１１へのゲート電圧の印加がＯＦＦされ、ゲート電圧が所定の閾値以下に下がるとＩＧＢＴ１１もＯＦＦされて発光回路１２が非導通状態となり、発光回路１２における発光電流（コレクタ電流）の流れが遮断されてキセノン管２の発光が停止する。
【００２８】
以上において、本実施の形態に係るストロボ装置１においては、トリガーコイル４の出力端子８をリフレクタ３に直接接触させるようにしたため、トリガーコイル４の出力をリフレクタ３に導通させるための媒介として機能するリード線や端子或いはプリント基板を用いる必要がなく、部品点数を削減してコストダウンと省スペースを実現し、ストロボ装置１を小型化することができる。
【００２９】
又、トリガーコイル４の出力端子８とリフレクタ３とが直接接触するために両者の距離が近接し、トリガー出力波形の減衰を小さく抑えて発光性を高めることができる。
【００３０】
更に、リフレクタ３からトリガーコイル４の出力端子８への押付応力をケース５の台座５ｃで受けるようにしたため、トリガーコイル４の出力端子８をリフレクタ２に確実に接触させることができる。そして、従来のようなインサート成型によることなくリフレクタ３とトリガーコイル４の出力端子８とを接触させることができる。
【符号の説明】
【００３１】
１      ストロボ装置
２      キセノン管（放電管）
２ａ    キセノン管のガラス管
３      リフレクタ
４      トリガーコイル
５      ケース
５ａ    ケースの凹部
５ｂ    ケースの矩形孔
５ｃ    ケースの台座
６      キセノン管の電極端子
７      トリガーコイルの入力端子
８      トリガーコイルの出力端子
８ａ    出力端子の片
８ｂ    出力端子の底辺部
９      フープ
１０    メインコンデンサ
１１    ＩＧＢＴ
１１ａ  ＩＧＢＴのゲート
１２    発光回路
１３    トリガー用コンデンサ
１４    トリガー手段
１５    ＩＧＢＴドライバ
【図１】
2013171255.tif 000003
【図２】
2013171255.tif 000004
【図３】
2013171255.tif 000005
【図４】
2013171255.tif 000006
【図５】
2013171255.tif 000007
【図６】
2013171255.tif 000008
【図７】
2013171255.tif 000009
【手続補正書】
【提出日】平成24年3月13日(2012.3.13)
【手続補正１】
【補正対象書類名】明細書
【補正対象項目名】００１９
【補正方法】変更
【補正の内容】
【００１９】
前記リフレクタ３は、当該ストロボ装置１のストロボ光の出射方向（図１の上方）に向かって開くよう導電性金属によって横断面Ｕ字状に成形されており、その内部に前記キセノン管２が組み込まれる。そして、このリフレクタ３はアルミニウム等の金属で構成され、その内面が研磨された反射面を構成しており、リフレクタ３の内部にキセノン管２が組み込まれた状態では、キセノン管２のガラス管２ａの外周に形成された前記透明電極がリフレクタ２の内面に圧接される。